(57)【要約】【課題】簡単に組立て及び収納作業をすることができる組立式テーブル、並びに、該組立式テーブル及び椅子セットを提供する。【解決手段】一対の脚部材５１，６１同士を連結部材５２，６２にて連結してなる第一脚体５及び第二脚体６を備え、該第一脚体５と第二脚体６とは、各々の連結部材５２，６２同士が互いに接近した畳み状態と、互いに離間した開き状態とになり得るように互いに接続されており、天板３を取り付けるための取付部材７が前記各々の連結部材５２，６２間に亘るように設けられてなる支持脚４を備える組立式テーブル１において、前記取付部材７は、前記畳み状態のときには収納状態となり、前記開き状態のときには前記天板３を取り付けることができる取付可能状態となるように構成されていることを特徴とする。【選択図】図３
2009095430.tif 000002
【特許請求の範囲】
【請求項１】
一対の脚部材同士を連結部材にて連結してなる第一脚体及び第二脚体を備え、該第一脚体と第二脚体とは、各々の連結部材同士が互いに接近した畳み状態と、互いに離間した開き状態とになり得るように互いに接続されており、天板を取り付けるための取付部材が前記各々の連結部材間に亘るように設けられてなる支持脚を備える組立式テーブルにおいて、
前記取付部材は、前記畳み状態のときには収納状態となり、前記開き状態のときには前記天板を取り付けることができる取付可能状態となるように構成されていることを特徴とする組立式テーブル。
【請求項２】
前記取付部材は、前記取付可能状態から折り畳まれることによって前記収納状態となるように構成されていることを特徴とする請求項１に記載の組立式テーブル。
【請求項３】
前記取付部材は、前記各々の連結部材間に亘る棒状体であり、その軸線方向中途部分で折り畳み可能に構成されており、前記畳み状態のときには連結部材と略平行になり、前記開き状態のときには連結部材と略垂直になるように、前記各々の連結部材に回動可能に取付けられていることを特徴とする請求項１に記載の組立式テーブル。
【請求項４】
請求項１乃至３の何れかに記載の組立式テーブルと椅子とを備えることを特徴とする組立式テーブル及び椅子セット。
【請求項５】
前記椅子は、一対備えられ、裏面同士を対向させて重ね合わせることができるように構成されており、前記組立式テーブルは、重ね合わせた椅子同士の間の収納部内に収納可能に構成されていることを特徴とする請求項４に記載の組立式テーブル及び椅子セット。
【発明の詳細な説明】
【技術分野】
【０００１】
本発明は、組立て及び畳み収納可能な組立式テーブル、並びに、該組立式テーブル及び椅子セットに関する。
【背景技術】
【０００２】
従来、組立て及び畳み収納することができる組立式テーブル、又は椅子とセットにして用いられる組立て及び畳み収納可能な組立式テーブルとしては、一対の脚部材同士を連結部材にて連結してなる第一脚体及び第二脚体を備え、該第一脚体と第二脚体とは、各々の連結部材同士が互いに接近した畳み状態と、互いに離間した開き状態とになり得るように互いに接続されており、天板を取り付けるための取付部材が前記各々の連結部材間に亘るように設けられてなる支持脚を備えたものが知られている。
【０００３】
かかる組立式テーブルは、前記畳み状態にすることでコンパクトに収納して持ち運ぶことができ、かかる収納状態から前記開き状態としてその場で組立てることができるので、例えば屋外でのキャンプなどの際に非常に便利なものである（下記特許文献１参照）。
【特許文献１】特開２０００−２１７６４０号公報
【発明の開示】
【発明が解決しようとする課題】
【０００４】
しかしながら、上記従来の組立式テーブルにあっては、組立てる際には、互いに離間して開き状態となっている前記各々の連結部材に、例えばネジなどで取付部材を取り付ける必要があり、一方、収納する際には、前記各々の連結部材を互いに接近させて畳み状態とする前に、各々の連結部材から前記取付部材を取り外す必要があり、組立て及び収納作業が煩雑で改善の余地がある。
【０００５】
そこで、本発明は、上記従来の実情に鑑みてなされ、簡単に組立て及び収納作業をすることができる組立式テーブル、並びに、該組立式テーブル及び椅子セットを提供することを課題とする。
【課題を解決するための手段】
【０００６】
本発明は、上記課題を解決すべくなされたものであり、本発明に係る組立式テーブルは、一対の脚部材同士を連結部材にて連結してなる第一脚体及び第二脚体を備え、該第一脚体と第二脚体とは、各々の連結部材同士が互いに接近した畳み状態と、互いに離間した開き状態とになり得るように互いに接続されており、天板を取り付けるための取付部材が前記各々の連結部材間に亘るように設けられてなる支持脚を備える組立式テーブルにおいて、前記取付部材は、前記畳み状態のときには収納状態となり、前記開き状態のときには前記天板を取り付けることができる取付可能状態となるように構成されていることを特徴とする。
【０００７】
該構成の組立式テーブルにあっては、取付部材が前記畳み状態のときには収納状態となり前記開き状態のときには前記天板を取り付けることができる取付可能状態となるように構成されているので、組立てに際しては、前記各々の連結部材を互いに離間させると取付部材が取付可能状態となって天板を取り付けることができる。一方、収納する際には、前記各々の連結部材を互いに接近させると取付部材が収納状態となる。即ち、組立て及び収納に際しては、取付部材の取り付け作業及び取り外し作業を要さずとも作業することができる。
【０００８】
特に、前記取付部材は、前記取付可能状態から折り畳まれることによって前記収納状態となるように構成されていることが好ましく、コンパクトに収納することができるという利点がある。
【０００９】
更に、前記取付部材は、前記各々の連結部材間に亘る棒状体であり、その軸線方向中途部分で折り畳み可能に構成されており、前記畳み状態のときには連結部材と略平行になり、前記開き状態のときには連結部材と略垂直になるように、前記各々の連結部材に回動可能に取付けられていることが好ましい。
【００１０】
かかる構成であると、組立てに際しては、取付部材は、前記各々の連結部材を互いに離間させるにしたがって、その中途部分での折り畳みが伸びつつ連結部材と略垂直になるように回動する。一方、収納に際しては、取付部材は、前記各々の連結部材を互いに接近させるにしたがって、その中途部分で折り畳まれつつ連結部材と略平行になるように回動する。従って、取付部材の取り付け取り外し作業を要さずに簡単に組立て又は収納することができ、しかも、コンパクトに収納することができる。
【００１１】
また、本発明に係る組立式テーブル及び椅子セットは、一対の脚部材同士を連結部材にて連結してなる第一脚体及び第二脚体を備え、該第一脚体と第二脚体とは、各々の連結部材同士が互いに接近した畳み状態と、互いに離間した開き状態とになり得るように互いに接続されており、天板を取り付けるための取付部材が前記各々の連結部材間に亘るように設けられてなる支持脚を備える組立式テーブルにおいて、前記取付部材は、前記畳み状態のときには収納状態となり、前記開き状態のときには前記天板を取り付けることができる取付可能状態となるように構成されている組立式テーブルと椅子とを備えることを特徴とする。
【００１２】
特に、前記椅子は、一対備えられ、裏面同士を対向させて重ね合わせることができるように構成されており、前記組立式テーブルは、重ね合わせた椅子同士の間の収納部内に収納可能に構成されていることが好ましい。
【発明の効果】
【００１３】
このように、本発明に係る組立式テーブル、並びに、組立式テーブル及び椅子セットにあっては、取付部材が前記畳み状態のときには収納状態となり前記開き状態のときには前記天板を取り付けることができる取付可能状態となるように構成されているので、取付部材の取付作業及び取外し作業を要さずとも組立て及び収納作業をすることができ、当該組立て及び収納作業を簡単にすることができるという効果を奏する。
【発明を実施するための最良の形態】
【００１４】
以下、本発明に係る組立式テーブル及び該組立式テーブルと椅子とのセット（組品）の一実施形態について、図面を参照しつつ詳細に説明する。
図１に、本実施形態における組立式テーブル１と椅子２とのセットが示されている。該セットは、組立て及び畳み収納可能な組立式テーブル１と一対の椅子２とを備える。
【００１５】
組立式テーブル１は、折り畳み可能な天板３と該天板３を支持する折り畳み可能な支持脚４とを備える。この組立式テーブル１は、天板３と支持脚４とが着脱自在となっており、天板３と支持脚４とをそれぞれ折り畳んだ状態で収納して持ち運ぶことができ、折り畳んだ状態の天板３と支持脚４とをそれぞれ展開し、該天板３を支持脚４の上に取り付けることで組み立てることができる。
【００１６】
天板３は、複数の帯板３１が折り畳み可能に連結されてなる。具体的には、図１及び図２に示すように、天板３は、複数の帯板３１をその幅方向に連結してなり、連結部分で折り畳むことができるように構成されている。本実施形態では、各帯板３１は、その幅方向に柔軟な連結紐３２が挿通されることによって連結されている。また、連結紐３２には、隣り合う帯板３１間に位置するように緩衝部材３３が挿通されている。
【００１７】
かかる天板３は、展開することにより、図１に示すように、平板状となり、各帯板３１をその厚み方向に重ねることにより、図２に示すように、コンパクトに折り畳むことができる。また、天板３には、支持脚４に係止するための係止突起部３４が展開した天板３の裏面側に突設されている。尚、天板３は、例えば２枚の板材が折り畳み可能に構成されたものでもよい。
【００１８】
支持脚４は、図３に示すように、一対の脚部材５１同士を連結部材５２にて連結してなる第一脚体５と、一対の脚部材６１同士を連結部材６２にて連結してなる第二脚体６と、第一脚体５及び第二脚体６の各々の連結部材５２，６２間に亘って設けられる取付部材７とを備えてなる。
【００１９】
第一脚体５は、図３及び４に示すように、上脚５１１と下脚５１２とが、上脚５１１の下端部と下脚５１２の上端部との間に隙間５１４が形成されるように、前記下端部と前記上端部とを連結板５１３を介して連結されてなる一対の脚部材５１を、棒状体である連結部材５２の両端部に回動可能にそれぞれ接続して構成されている。
【００２０】
具体的には、連結部材５２の一端部５２１には、第一接続部５３が回動可能に取り付けられている。この第一接続部５３は、略Ｌ字状の板状体であり、一方の片５３１が連結部材５２に枢着され、他方の片５３２に一方の脚部材５１が固定されている。従って、一方の脚部材５１は、連結部材５２の軸線５２Ｃ方向に略垂直となる開き位置と連結部材５２の軸線５２Ｃ方向に略平行となる閉じ位置との間を、前記第一接続部５３の回動中心Ｃ１周りに回動可能となるように連結部材５２の一端部５２１に接続されている。
【００２１】
尚、本実施形態では、一方の脚部材５１の回動に伴って折り畳み状態と伸び状態とになるように構成された補強部材８が、一方の脚部材５１と連結部材５２との間に跨って設けられている。この補強部材８は、前記伸び状態において係合するストッパー８１を備え、一方の脚部材５１が連結部材５２に対して略垂直な状態（開き状態）となっているときに伸び状態となってストッパー８１が係合し、該ストッパー８１によって当該伸び状態が維持されるように構成されている。
【００２２】
同様に、連結部材５２の他端部５２２には、第二接続部５４が回動可能に取り付けられている。この第二接続部５４は、略Ｌ字状の板状体であり、一方の片５４１が連結部材５２に枢着され、他方の片５４２に他方の脚部材５１が固定されている。従って、他方の脚部材５１は、連結部材５２の軸線５２Ｃ方向に略垂直となる開き位置と連結部材５２の軸線５２Ｃ方向に略平行となる閉じ位置との間を、前記第二接続部５４の回動中心Ｃ２周りに回動可能となるように連結部材５２の他端部５２２に接続されている。尚、本実施形態では、他方の脚部材５１と連結部材５２との間にも、前記補強部材８が設けられている。
【００２３】
ここで、第一接続部５３と第二接続部５４とは、共に正面視略Ｌ字状の板状体であるが、第一接続部５３の前記一方の片５３１（連結部材５２に取り付けられる側の片）の長さは、第二接続部５４の一方の片５４１（連結部材５２に取り付けられる側の片）の長さよりも短くなっている。
【００２４】
換言すると、第二接続部５４の連結部材５２に対する回動半径は、第一接続部５３の連結部材５２に対する回動半径よりも大きくなっている。従って、他方の脚部材５１の回動半径は、一方の脚部材５１の回動半径よりも大きくなっており、他方の脚部材５１の閉じ位置における連結部材５２との離間距離は、一方の脚部材５１の閉じ位置における連結部材５２との離間距離よりも大きくなっている。
【００２５】
第二脚体６は、棒状体である一対の脚部材６１を、棒状体である連結部材６２の両端部に回動可能にそれぞれ接続して構成されている。尚、第二脚体６の両脚部材６１と連結部材６２との接続構造は、前記第一脚体５の接続構造と同様の構造であるので、共通する構成要素には同じ符号を付すこととしてその説明を省略する。尚、第一脚体５の脚部材５１と第二脚体６の脚部材６１とが同じ構成であってもよい。即ち、第一脚体５と第二脚体６とが同じ構成であってもよい。
【００２６】
かかる第一脚体５と第二脚体６とは、各々の連結部材５２，６２同士が互いに接近した畳み状態と互いに離間した開き状態とになり得るように互いに回動可能に接続されている。具体的には、第一脚体５と第二脚体６とは、第二脚体６の各脚部材６１が第一脚体５の各々の上脚５１１と下脚５１２との間の隙間５１４に挿通された状態で連結板５１３にそれぞれ枢着されている。従って、第一脚体５の連結部材５２の軸線５２Ｃ方向と第二脚体６の連結部材６２の軸線６２Ｃ方向とは略平行となっている。これにより、第一脚体５と第二脚体６とは、各々の連結部材５２，６２の軸線５２Ｃ，６２Ｃ方向に略平行な回動中心Ｃ３回りに回動可能となっており、各々の連結部材５２，６２は、互いの軸線５２Ｃ，６２Ｃが平行な状態のままで前記回動中心Ｃ３回りに回動して接離することとなる。
【００２７】
取付部材７は、図３乃至５に示すように、その軸線７Ｃ方向中途部分で折り畳み可能な棒状体であり、前記天板３を取り付けることができるように構成されている。具体的には、取付部材７は、一対の棒体７１が折畳部７２を介して折り畳み可能に接続されてなり、より詳細には、各々の棒体７１の軸線が略一直線状となる伸び状態と略平行に隣接する折り畳み状態との間を回動可能となるように、両棒体７１が折畳部７２に回動可能にそれぞれ接続されてなる。即ち、取付部材７は、その軸線７Ｃ方向略中央部に折畳部７２を備えており、該折畳部７２を中心に屈曲して折り畳むことができるように構成されている。
【００２８】
また、取付部材７の両端部には、図５に示すように、前記天板３の係止突起部３４が係止可能な係止溝７３が形成されている。この係止溝７３に係止突起部３４が係止されることにより、天板３は取付部材７に位置決めされて取り付けられる。尚、取付部材７は、前記伸び状態のときに天板３を取り付けることができる取付可能状態となり、前記折り畳み状態のときに収納状態となる。
【００２９】
かかる取付部材７は、一端部が第一脚体５の連結部材５２に接続され、他端部が第二脚体６の連結部材６２に接続されている。具体的には、図５に示すように、第一脚体５の連結部材５２には、略コの字状の受部９が、当該連結部材５２の軸線５２Ｃ方向に垂直な方向の軸線回りに回動可能となるように取り付けられており、かかる受部９に上下に回動可能となるように取付部材７が取り付けられている。即ち、取付部材７は、連結部材５２の軸線５２Ｃ方向に垂直な方向の回動中心Ｃ４周りに回動可能となり、且つ、該回動中心Ｃ４に垂直な方向の回動中心Ｃ５周りに回動可能となるように、連結部材５２に取り付けられている。尚、第二脚体６の連結部材６２と取付部材７の他端部との取付構造については、第一脚体５の連結部材５２と取付部材７の一端部との取付構造と同様である。即ち、取付部材７は、その他端部が受部９を介して第二脚体６の連結部材６２に取り付けられている。
【００３０】
かかる構成の支持脚４は、天板３を取り付け可能な展開状態（図３に示す状態）と、折り畳んでコンパクトにした収納状態（図７に示す状態）とを自在に採り得る。具体的には、支持脚４を展開する場合には、収納状態（図７に示す状態）となっている支持脚４を、第一脚体５の両脚部材５１と第二脚体６の両脚部材６１とを開き状態（図６に示す状態）とした後に、第一脚体５及び第二脚体６の双方の連結部材５２，６２同士が互いに離間して開き状態（図３に示す状態）となるように、第一脚体５と第二脚体６とを各連結部材５２，６２の軸線５２Ｃ，６２Ｃ方向に平行な回動中心Ｃ３回りに相対的に回動させる。
【００３１】
このとき、取付部材７は、連結部材５２，６２の軸線５２Ｃ，６２Ｃ方向に垂直な方向の回動中心Ｃ４且つ該回動中心Ｃ４に垂直な方向の回動中心Ｃ５回りに回動しつつ、折畳部７２での屈曲が伸びていき、最終的に両棒体７１の軸線が連結部材５２，６２の軸線５２Ｃ，６２Ｃ方向に垂直な方向に沿って一直線状となって（連結部材５２，６２と垂直に交差した状態となって）伸び状態（即ち、取付可能状態）となる。かかる状態で、取付部材７の係止溝７３に天板３の係止突起部３４を係止することによって天板３を支持脚４に取り付けることができ、組立式テーブル１を組み立てることができる。
【００３２】
一方、組立式テーブル１を収納すべく支持脚４を折り畳む場合には、天板３を取り外した後に、展開状態（図３に示す状態）となっている支持脚４を、第一脚体５及び第二脚体６の双方の連結部材５２，６２同士が互いに接近して畳み状態（図６に示す状態）となるように、第一脚体５と第二脚体６とを各連結部材５２，６２の軸線５２Ｃ，６２Ｃ方向に平行な回動中心Ｃ３回りに相対的に回動させる。
【００３３】
このとき、取付部材７は、連結部材５２，６２の軸線５２Ｃ，６２Ｃ方向に垂直な方向の回動中心Ｃ４且つ該回動中心Ｃ４に垂直な方向の回動中心Ｃ５回りに回動しつつ、折畳部７２で屈曲していき、最終的に両棒体７１の軸線が連結部材５２，６２の軸線５２Ｃ，６２Ｃ方向に平行な方向に沿って隣接して（連結部材５２，６２と平行な状態となって）折り畳み状態（即ち、収納状態）となる。
【００３４】
その後、第一脚体５の一方及び他方の脚部材５１と第二脚体６の一方及び他方の脚部材６１とを閉じ状態（図７に示す状態）とする。ここで、第一脚体５及び第二脚体６の各々の一方の脚部材５１，６１は、連結部材５２，６２に枢着される片５３１が短い第一接続部５３を介して連結部材５２，６２に連結されており、第一脚体５及び第二脚体６の各々の他方の脚部材５１，６１は、連結部材５２，６２に枢着される片５４１が長い第二接続部５４を介して連結部材５２，６２に連結されているので、第一脚体５及び第二脚体６の各々の一方の脚部材５１，６１の組を先に閉じ状態とし、その後に、第一脚体５及び第二脚体６の各々の他方の脚部材５１，６１の組を閉じ状態とすれば、他方の脚部材５１，６１の組と連結部材５２，６２との間に一方の脚部材５１，６１の組が収容された状態となり、支持脚４をコンパクトに折り畳むことができる。
【００３５】
組立式テーブル１と共に組品となる椅子２は、図１に示すように、使用者が腰を掛けるための座部２１と該座部２１を支持するための椅子脚２２とを備える。座部２１は、板状の座面部２１１と、該座面部２１１の周縁部全周に亘って座面部２１１の裏面側に垂下されるスカート部２１２とを備える。椅子脚２２は、座部２１の長手方向両端部にそれぞれ設けられており、座面部２１１の裏面側に収納可能となるように該座面部２１１の裏面側に取り付けられている。
【００３６】
かかる椅子２は、座部２１の裏面同士を対向させて重ね合わせることができるように一対用意されている。そして、当該重ね合わせた椅子２同士の間の領域は、前記組立式テーブル１の収納部となる。即ち、一対の椅子２は、前記組立式テーブル１の収納箱とすることができる。
【００３７】
図８を参照して具体的に説明すると、まず、各々の椅子２の椅子脚２２を座面部２１１の裏面側に収納する。そして、一方の椅子２の座部２１の裏面側（スカート部２１２の内周側）に、折り畳んだ天板３と、折り畳んだ支持脚４とを収納する。そして、他方の椅子２の座面部２１１の裏面と一方の椅子２の座面部２１１の裏面とが対向し、且つ、他方の椅子２のスカート部２１２の先端と一方の椅子２のスカート部２１２の先端とが当接するように、他方の椅子２を一方の椅子２に重ね合わせる。こうして、一方及び他方の椅子２によって形成される収納部に組立式テーブル１が収納される。
【００３８】
尚、一方及び他方の椅子２に適宜係合部２３を設けて、重ね合わせた両椅子２が位置ずれしないようにしてもよい。また、一方の椅子２の座面部２１１の裏面側に、例えばバンド等の締付部２４を設け、該締付部２４にて天板３と支持脚４とを締め付けておくと、天板３や支持脚４の収納部内でのガタツキを防止することができる。更には、椅子２に把手部２５を設けておけば、持ち運びに便利である。
【００３９】
以上のような構成の組立式テーブル１にあっては、取付部材７が、両連結部材５２，６２が接近した畳み状態のときには折畳部７２にて折り畳まれて収納状態となり、両連結部材５２，６２が離間した開き状態のときには直線状に伸びて取付可能状態となるように構成されているので、各々の連結部材５２，６２を互いに離間するように回動させると、取付部材７が、連結部材５２，６２の軸線５２Ｃ，６２Ｃ方向に垂直な方向の回動中心Ｃ４且つ該回動中心Ｃ４に垂直な方向の回動中心Ｃ５回りに回動しつつ、折畳部７２での屈曲が伸びていき、最終的に両棒体７１の軸線が連結部材５２，６２の軸線５２Ｃ，６２Ｃ方向に垂直な方向に沿って一直線状となって取付可能状態となり、天板３を取付部材７に取り付けることで組み立てることができる。
【００４０】
一方、各々の連結部材５２，６２を互いに接近するように回動させると、取付部材７が連結部材５２，６２の軸線５２Ｃ，６２Ｃ方向に垂直な方向の回動中心Ｃ４且つ該回動中心Ｃ４に垂直な方向の回動中心Ｃ５回りに回動しつつ、折畳部７２で屈曲していき、最終的に両棒体７１の軸線が連結部材５２，６２の軸線５２Ｃ，６２Ｃ方向に平行な方向に沿って隣接して収納状態となり、コンパクトに収納することができる。
【００４１】
従って、取付部材７の取付作業及び取外し作業を要さずとも、組立式テーブル１の組立て及び収納作業を行うことができ、当該組立て及び収納作業を簡単にすることができる。
【００４２】
尚、本実施形態では、第一脚体５と第二脚体６とが回動可能に接続されている場合について説明したが、これに限らず、第一脚体５と第二脚体６とは、例えば、各々の連結部材５２，６２の軸線５２Ｃ，６２Ｃ間距離が大小するようにスライド可能に接続される場合であってもよい。
【００４３】
また、本実施形態では、取付部材７が折り畳み可能に構成されている場合について説明したが、これに限らず、例えば、その軸線７Ｃ方向に伸縮可能に構成されている場合であってもよい。
【図面の簡単な説明】
【００４４】
【図１】本発明に係る組立式テーブル及び椅子セットの一実施形態を示す斜視図。
【図２】組立式テーブルの天板を折り畳んだ状態を示す斜視図。
【図３】組立式テーブルの支持脚を示す斜視図。
【図４】支持脚の概略側面図。
【図５】図３のＰ部拡大図。
【図６】支持脚を折り畳んで収納する途中の状態を示す斜視図。
【図７】支持脚を折り畳んで収納した状態を示す斜視図。
【図８】組立テーブルを椅子の裏面側に収納した状態を示す斜視図。
【符号の説明】
【００４５】
１…組立式テーブル、２…椅子、３…天板、４…支持脚、５…第一脚体、６…第二脚体、７…取付部材、８…補強部材、９…受部、２１…座部、２２…椅子脚、２３…係合部、２４…締付部、２５…把手部、３１…帯板、３２…連結紐、３３…緩衝部材、３４…係止突起部、５１，６１…脚部材、５２，６２…連結部材、５３，６３…第一接続部、５４，６４…第二接続部、７１…棒体、７２…折畳部、７３…係止溝、８１…ストッパー、２１１…座面部、２１２…スカート部、５１１…上脚、５１２…下脚、５１３…連結板、５１４…隙間、Ｃ１…第一接続部の回動中心、Ｃ２…第二接続部の回動中心、Ｃ３…連結部材の回動中心、Ｃ４，Ｃ５…取付部材の回動中心、７Ｃ…取付部材の軸線、５２Ｃ，６２Ｃ…連結部材の軸線
【図１】
2009095430.tif 000003
【図２】
2009095430.tif 000004
【図３】
2009095430.tif 000005
【図４】
2009095430.tif 000006
【図５】
2009095430.tif 000007
【図６】
2009095430.tif 000008
【図７】
2009095430.tif 000009
【図８】
2009095430.tif 000010